(57)【要約】【課題】靴に係り、容易に脱ぎ履きが出来るなど簡便性に優れ、また廉価・軽量で履き心地の良く、健康を促進し、効率よく拡張性に優れた靴を提供すること。【解決方法】本発明に係る装脱着容易靴は、外皮及び内袋が各種身体器官に対応した形状を持って構成し、加えて靴外皮と、外皮の主に内側に接合した伸縮性素材の袋体と該袋体に空気のような気体を吸排出する弁から成る吸出入口を備え、当該吸出入口から該袋体に気体を注入して袋体及び靴外皮に柔軟性を持たせて足の挿入を容易にし、当該吸出口から気体を抜くことにより、前記靴外皮及び袋体を収縮させて、足に密着させるようにしている、かつそれら外皮及び内袋が各種身体器官に対応した形状である事により靴から身体器官への影響を自在に設定でき、靴の機能の拡張性も効率よく行えることを特徴として構成される。【選択図】図２
2019213975.tif 000002
【特許請求の範囲】
【請求項１】
足を覆う外皮と前記外皮に接合された主に伸縮性素材からなる袋体が、押し広げて足が容易に挿入できるよう配置接合され、前記袋体の気体吸入／排出弁を有する吸排出口を備え、前記気体吸入／排出弁を開放して空気を入れると前記外皮が柔軟性を持って拡がり、空気を抜くと前記袋体から気体が排出され、前記外皮及び前記袋体が足に密着し、
前記靴の構造が、足の筋肉／骨格／血管／神経／経絡／反射区／内分泌器官を含む身体器官に対応している、靴。
【請求項２】
請求項１記載の靴において、前記外皮及び内袋が面ファスナなど拡張性のある素材で構成され、拡張機能を効率的に付随できることを特徴とする靴。
【発明の詳細な説明】
【技術分野】
【０００１】
本発明は、靴に係り、特に簡便性に優れ、脱ぎ履きがし易く、又、フィット性に富み低空気抵抗性や軽量性を備え、拡張性に優れる靴に関する。
【背景技術】
【０００２】
従来、特許文献１や特許文献２にみられる如く、靴内部の空気を吸引することにより靴外皮と足を密着させ、触覚感度の改善を図った靴の技術が知られている。
【先行技術文献】
【特許文献】
【０００３】
【特許文献１】特表２００７−５３７７９８号公報
【特許文献２】特開昭６２‐２４９６０１号公報
【発明の概要】
【発明が解決しようとする課題】
【０００４】
上記した特許文献１に記載の吸引作用によってフィットするブーツに於いては、水中で使用するブーツを主体としており、可とう性のある材料で構成された外皮と挿入された足との間の空気あるいは水を吸引することにより、足と外皮をぴったり密着させるという技術思想が開示されるものである。
【０００５】
しかし、外皮と足との間の空気を吸引しても、外皮が薄い場合には吸引後の外皮は生地の偏りが起こり、また余分な皺が発生してしまい履き心地は悪くなると予想される。一方、生地の偏りを克服しようと外皮を厚くすれば全体が重く硬くなりやはり履き心地は悪くなると思われる。よってこの技術思想を特に陸上で使用する場合にはあまり現実的でない。
【０００６】
特許文献２の真空密着式スキー靴に於いては、硬い外皮と挿入した足の間にシースを置き、その間の空気を吸引して真空状態を作り、足と外皮を密着させようとする技術思想が開示されるものである。
【０００７】
しかし、靴内部には足に密着するようなシースがありそのままではとても履きにくい点に鑑みると、硬い外皮の掛金を外し、外皮を開いてから足を挿入し掛金を掛けてから空気を吸引しなくてはならず、脱ぎ履きのしやすさより、足をしっかり固定することを主眼にした技術思想であると考えられる。
【０００８】
また、従来ひもや面状ファスナ等により足に固定させる靴が知られているが、これでは、空気抵抗が生じ、さらにひもを結ぶ又はテープで接着させる等の手間や時間の必要性より、スポーツ等において最適ではないという問題点があった。
【０００９】
本発明は、このような従来技術上の問題点を解決するためになされたもので、そもそも靴の構造に係る基幹部を足の筋肉／骨格／血管／神経／経絡／反射区／内分泌器官／その他身体器官のうちの少なくともいずれか１つを含む器官に対応する形で構成しておく。ここで、靴の構造に係る基幹部とは、構造の骨格、外皮および／もしくは内袋を含む概念である。これにより、まず空気の吸引後の生地等の偏りによる履き心地の悪化を最小限度に抑える。また、加えて靴内部の袋体に空気の様な気体を吸入／放出することにより簡単に靴の脱ぎ履きができる靴、特に装脱着容易な靴を提供することを目的としている。
【課題を解決するための手段】
【００１０】
かかる目的を達成するために、まずそもそも靴の基本構造を足の筋肉／骨格／血管／神経／経絡／反射区／内分泌器官／その他身体器官のうちの少なくともいずれか１つを含む器官に対応する形で構成しておく。これにより、靴の内部の空気の吸引後の生地等の偏りによる履き心地の悪化を最小限度に抑える事が可能になり、履き心地よく軽量化が臨めるようにした。
【００１１】
加えて、足を覆う靴の外皮と、該外皮の主に内部に、足が容易に挿入できるよう押し広げられるよう配置接合された、気体吸入／排出弁を備えた主に伸縮性素材から成る袋体から構成され、前記気体吸入／排出弁を開放して内部の空気を抜くと伸縮性袋体の収縮により前記袋体から気体が排出され、前記外皮及び袋体が足に密着する。
【００１２】
靴外皮としては、伸縮特性を有するものであれば尚よく、また防水特性や撥水特性を有したり、外側から内側へは空気を通しにくい性質等のあらゆる材料により好適に実現し得る。たとえば、ハイドロシールラミネートやポリエステルリップダーミザクス、アクションパイルウィンドストッパーを用いても実現可能である。かかる素材特性により、耐久性・吸汗性・透湿性等高機能性を保持することで、全シーズン対応型とすることができる。
【００１３】
主に靴内部において、外皮に配置接合された袋体には外部から、もしくは靴と一体化されたポンプやスポイト、小型ガスボンベ等の簡易な器具により、空気あるいは任意の気体を解放／吸入することにより全体に柔軟性を持たせて外皮を押し広げて足を挿入しやすくすることができる。また、足と靴との密着を解く作用を発生させるにも同じ手順を行えばよい。
【００１４】
吸出入口は、靴に設けられ、気体の吸入と排出が可能な吸入／排出弁を備えており、たとえば、靴の外皮や甲の部分に設けられており靴と一体化している。上記吸入／排出弁は、吸出入口に設けられ、意図しない空気の吸出入がされるのを防ぐものである。
【００１５】
また、上記吸出入口に設けられた吸入／排出弁には、器具内に空気を流入させ又排出させる機能を有するポンプやスポイト等の簡易な器具を接続、もしくは予め靴と一体化させておくことにより、靴内部に空気を流入させ又外部に排出することが可能となる。
【００１６】
上記構成を備える靴は、低空気抵抗性、邪魔な靴ひもが無い、脱ぎ履きし易いという特性を活かし、陸上用のランニングシューズ、サッカーシューズ、レスリングシューズ、フリークライミングシューズ、スキーシューズ、スノーボードシューズ、スケート靴、ローラースケート靴、自転車競技用靴等々のさまざまなスポーツの分野においても、効果的に適用可能である。
【００１７】
上記のように構成されることで靴外皮が内部などに一体化した袋体に気体を吸入されることで全体が柔軟性を持って拡がるので履き易くなり、足を挿入した後は上記吸入／排出弁を開いて空気を抜くと、袋体の収縮によって注入されていた気体が排出され、該袋体は靴外皮とともに足に密着し、ずれることなく利用することができる。即ち、従来のひもやチャックによって靴と足を密着させるのではなく、空気のような気体を靴内部に吸出入させることにより脱ぎ履きし易く、特にひもやチャックが無いことから機能性に優れ、ひもやチャックを結び直すことからの時間・手間の省略、簡便性に優れ、低空気抵抗性や軽量性を備えるものとなる。
【００１８】
このことから、ひもがほどけてこないことによる機能性を担保でき、それによる履き易さ、また１回の気体排出で足に靴を密着可能とする点からの簡便性を生じさせる。さらに、ひもを結び直すことからの時間・手間の省略化を実現することができる。
【００１９】
さらに、このように構成することで、前記吸入／排出弁を備えた吸引口に器具内に空気を流入させ又排出させる機能を有するポンプやスポイト等の簡易な器具を接続、もしくは予め靴と一体化させておくことにより、靴の内外からの空気の吸出入を簡便性に優れた方法で行うことが可能となる。
【００２０】
つまり、靴を履く際には、靴本体に足を挿入した状態でかかる簡易な器具により靴内部の袋体に空気を吸入／解放させる事により袋体及び外皮に柔軟性を持たせ、生地等を自在に動かし、足を靴に簡便に挿入することができ、足挿入後は上記吸入／排出弁を開くことにより袋体の気体を排出して靴を足に密着させることができる。一方、靴を脱ぐ際には、密着させた靴の吸出入口に設けられた吸入／排出弁に上述の簡易器具を用いることで、靴内部に空気を吸入／解放させ、袋体が柔軟性を持つと同時に外皮も柔軟性を持って自在に動くので靴から足を簡易に離間させることが可能となる。
【００２１】
加えて、上記のように構成されることで、ひもを備えない構造から、当該靴を履いて歩行や走行をする際に、空気との関係で摩擦を生じず抵抗を減少させることができる。
【００２２】
しかも、ひもを無くして構成することから、即ちひもを通す金具を備えていない等の簡易な構成により、これらを軽量性に優れた構造で実現することができる。
【００２３】
さらに、吸出入口の弁を緩めて、袋体の気体を排出して靴の構造部分を足に密着させる特性を利用して新しい効果を生み出すこともできる。すなわち、靴の構造が足の筋肉／骨格／神経／血管／経絡／反射区／内分泌器官等、その他身体器官のうちの少なくともいずれか１つを含む身体器官に対応しているため、諸身体器官に靴の構造が影響を与えるか否かを自在に設定する事が可能になる。例えばツボに相当する位置に配置される前記袋体又は外皮に突起を設ける等してツボを刺激する形状にしておけば、本発明の靴を履くことによって、上記各種のツボが刺激されることになる。血管や神経を圧迫したくない場合には、靴の袋体や外皮らの靴の構造を血管や神経を避けるような形状にしておく、などである。
【００２４】
また、逆に靴の袋体や外皮の外側に向けても新しい効果を生み出すことができる。すなわち、靴の構造が足の筋肉／骨格／神経／血管／経絡／反射区／内分泌器官等、その他身体器官のうちの少なくともいずれか１つを含む身体器官に対応しているため、靴の構造を例えば面ファスナ（マジックテープ（登録商標））や粘着性のある素材など拡張性のある素材で構成しておくと、靴の外部にも拡張機能を効率的に付随せしめる事が可能になる。諸身体器官に靴の構造が影響を与えるか否かを自在に設定する事が、外部に対しても可能になるのである。
【発明の効果】
【００２５】
本発明は、上記のように構成されるので、たとえば靴本体内の袋体に空気のような気体を充填するための吸出入口を靴本体に備え、当該吸出入口には、該袋体からの気体流出を防止するための吸入／排出弁を備え、足挿入後は前記吸出口の吸入／排出弁を開けて該袋体から気体を抜くことにより、前記袋体／靴外皮を収縮させて、足に密着させるようにしている形態上の特徴から、ひもがほどけてこないことによる機能性や履き易さ、ひもを結び直すことからの時間・手間の省略化を図ることができ、さらに空気抵抗性を減少させ、加えて靴の内外から気体の吸出入を簡便性に優れた状態で使用することができる。
【００２６】
かかる構成を備える靴は、陸上用のランニングシューズ、レース用シューズ、サッカーシューズ等々のさまざまなスポーツの分野においてのみならず、布製靴や革製靴等通常の靴にはもちろん、日常で使用するその他の靴、たとえばレインシューズ、安全靴等々にも効果的に適用可能である。
【００２７】
加えて、構造が複雑でなく、比較的少数の部品数で構成されているため、簡易に廉価で製造することができる。
【００２８】
更に、足の筋肉／骨格／血管／神経／経絡／反射区／内分泌器官等、その他身体器官のうちの少なくともいずれか１つを含む身体器官に対応しているため、身体器官に靴の構造が影響を与えるか否かを自在に設定する事が可能になるので、例えばツボに相当する位置に配置される前記袋体又は伸縮性素材から成る外皮に突起を設ける等してツボを刺激する形状にしておけば、本発明の靴を履くことによって、上記各種のツボが刺激され、足の疲れの軽減や健康維持、増進という効果が期待できる。
【００２９】
また、上記身体器官に相当する靴の構造を、面ファスナ（マジックテープ（登録商標））や粘着性のある素材など拡張性のある素材で構成しておくことにより、靴に拡張機能を効率的に付随せしめる事が可能になる。例えば保護用にプロテクタを付随せしめる場合にも必要な箇所にだけ設定する事が可能になる。
【００３０】
同様に、身体器官に対応しているので拡張性のある素材で使い捨てカイロを装着すれば効率よく身体を温め、足の疲れの軽減や健康維持、増進という効果が期待できる。このように、上記構造に面ファスナなど拡張性のある素材で構成しておけば、各種の部材を必要な箇所に必要なだけ効率よく着脱することができる。
【図面の簡単な説明】
【００３１】
【図１】本発明の一実施形態に係る装脱着容易靴の足挿入時の全体像を示す斜視図である。
【図２】靴本体に足を挿入した状態の図１における縦断面図である。
【図３】足の骨格に沿った神経組織と神経組織のツボを示した平面図である。
【図４】靴（外皮／内袋）の構造に面ファスナなど拡張性のある部材を付した縦断面図である。
【図５】面ファスナなど拡張性のある素材を利用してプロテクタを付した斜視図である。
【発明を実施するための形態】
【００３２】
以下、図１を参照して本発明を実施するための最良の形態について説明する。図１は、足挿入時における全体像を示す斜視図である。同図に示すように、本発明の一実施形態に係る靴本体１は、靴底部５、外皮２、主に伸縮性素材よりなる袋体３、吸出入口４を具備して構成されている。
【００３３】
足挿入時は袋体３には吸出入口４の吸入／排出弁（図示せず）を介して空気のような気体が吸入されており、該袋体３及び外皮２が柔軟性を持っているため、押し広げて足を挿入し易くなっている。図１（ａ）は、袋体３を外皮２内部に螺旋状に配置・接合した例を示している。図１（ｂ）は、ドーナツ状の該袋体３を繋いだような形状で配置・接合した例である。
【００３４】
以上のように、袋体３の内部に気体を吸入した時に袋体３及び外皮２が柔軟性を持って外皮を押し広げ易くなるよう配置する形状はいろいろ考えられるが、それ等は全て本発明の発明思想に含まれるものである。
【００３５】
図２は、本発明の一実施形態に係る装脱着容易靴を履く場合の説明図である。図２（ａ）では袋体３に気体が吸入される事で袋体及び外皮が柔軟性を持ち、外皮２を押し広げて足６を挿入しやすくなっている。
【００３６】
図２（ｂ）は、吸出入口４の吸入／排出弁を緩めて袋体３の気体を放出した場合を表し、袋体３は内部気体が放出されるため袋体３及び外皮２が伸縮し共に足に密着する。
【００３７】
すなわち、袋体３の表面または外皮２の裏面（図示省略）に突起７が設けられており、該突起位置の一例を図３に示す。図３は、足３０の骨格３１に沿った神経組織３２を示しており、該神経組織のいくつかのツボ３３の相当する位置の袋体表面または外皮の裏面に突起７を設ける。
【００３８】
また、図１における吸出入口４の吸入／排出弁は、逆止弁であり、簡易な器具を接続、もしくは予め靴に一体化させておくことで袋体３内に空気のような気体を充填する際、気体が放出することが無く、該弁を緩めることにより主に伸縮性素材から成る袋体３の伸縮により該袋体３が圧迫されて該弁より気体が放出されるものである限りにおいていかなるものであってもよい。但し、構造について簡易で重量について軽量なものが好ましい。
【００３９】
かかる弁を設けた吸出入口４は、たとえば、靴本体１の頂部や側部のいかなる位置に設置してもよい。
【００４０】
なお、吸出入口４及び吸入／排出弁は、合成樹脂、金属等の一定の剛性を有する材料で一体的に形成してもよいし、部分的に同一若しくは異なる材料を用いて生成したものを連結して形成してもよい。
【００４１】
以上、説明したように、本発明に係る装脱着容易靴によれば、袋体に気体を吸入することにより足を挿入することができ、送出入口の吸入／排出弁を緩めて気体を排出することにより靴を足に密着させることができる。さらに、ひもを使用せずに足を靴に固定させることから、ひもを有する靴の欠点を防止することができる。しかも、ひもを備えない構造から、耐空気抵抗性を高く保持することができる。さらに、これらを比較的簡便な構造で実現することが可能である。
【００４２】
したがって本発明によれば、ひもが無いことから、ひもがほどけてこないことによる機能性や履き易さ、ひもを結び直すことからの時間・手間の省略、靴の内外からの空気の吸出入の簡便性を十分担保し利用することができる。さらに、かかるひも靴と比較して空気抵抗を格段に少なくすることができる。また、靴の内外からの空気の吸出入の簡便性を高く維持しつつ利用することができる。加えて、製造についても廉価で行うことが可能である。
【００４３】
図４は、外皮２の足の筋肉／骨格／血管／神経／経絡／反射区／内分泌器官／その他身体器官に相当する位置を面ファスナ４１や粘着質のテープなど拡張性のある素材で構成した例である。もちろん、面ファスナを連続的に付してもよい。
【００４４】
図５は、上記面ファスナや粘着テープなどの拡張性のある素材で構成された部位に上記身体器官に相当する位置を保護するためのプロテクタ５１を付した場合の斜視図である。さらに上記面ファスナ等を利用して必要なツボの位置に使い捨てカイロを付加して、効果的に足の冷え防止やツボの刺激にも応用できる。もちろん面ファスナ４１を足の脛の部分にも付加することにより、脛のツボの部分にプロテクタ５２や使い捨てカイロを装着することができる。
【００４５】
なお、本願発明は、上述した実施形態に限定されるものでなく、その技術思想の同一及び等価に及ぶ範囲において上述した実施形態への様々な変形、追加、置換、拡大、縮小等を許容するものである。たとえば、前述の筋肉／骨格／血管／神経／経絡／反射区／内分泌器官／その他身体器官に対応させて配置するものは、外皮および／もしくは内袋を含めて、広く靴の構造に係る基幹部としてもよい。
【００４６】
さらに、たとえば、上記の説明においては、靴単体として本発明の技術思想を説明したが、本発明は、これらの被覆装具が集合的に形成される被覆装置として実現してもよく、本願はこれらの実施形態も包含するものである。
【産業上の利用可能性】
【００４７】
本発明に係る装脱着容易靴によれば、大変簡単に足を挿入することができ、弁を緩めて空気を抜くことにより瞬時に靴が足に密着することから、高齢者用の靴としてひもを結んだり解いたりする手間の省略化を図ることができ大変使いやすく、さらに空気抵抗性が少なくなるため、さまざまなスポーツの分野においても利用されうることから、スポーツ用品業をはじめとする諸産業において効果的に適用可能である。
【００４８】
さらに、構造が複雑でなく、比較的少数の部品数で構成されているため、簡易に廉価で製造することが可能となるので、あらゆる履物等の分野において広く利用することができる。
【００４９】
本発明の特徴である、空気を注入、排気による着脱容易性及び身体器官への対応の特性を生かして靴ばかりでなく、広く衣服や身体装具に発展応用できるものである。
【符号の説明】
【００５０】
１    靴本体
２    外皮
３    袋体
４    吸出入口
５    靴底部
６    足
７    突起
３０  足
３１  骨格
３２  神経組織
３３  ツボ
４１  面ファスナ
５１、５２  プロテクタ
【図１】
2019213975.tif 000003
【図２】
2019213975.tif 000004
【図３】
2019213975.tif 000005
【図４】
2019213975.tif 000006
【図５】
2019213975.tif 000007